(57)【特許請求の範囲】
【請求項１】
左右一対のレンズと、夫々のレンズの上縁部分の外周面に取り付く縁枠を左右に有する縁枠部材と、夫々のレンズの下縁部分の外周面に取り付くコードの両端に掛着片を固定してなる左右のコード部材とを具え、各コード部材のコードが前記下縁部分の外周面に取り付けられた状態で、レンズの上縁部分に取り付けられた前記縁枠の内側の端部と外側の端部に前記両端の掛着片が有する引掛け部が掛着されることにより、前記レンズが前記縁枠に固定されている縁無眼鏡であって、
真っ直ぐなパイプ部材内に前記コードの端部分が挿入された状態で該パイプ部材が所要に屈曲せしめられることにより、前記引掛け部を具えた前記掛着片が形成されており、該パイプ部材の屈曲により前記コードの端部分が前記掛着片に固定されていることを特徴とする縁無眼鏡。
【請求項２】
左右一対のレンズと、夫々のレンズの下縁部分の外周面に取り付く縁枠を左右に有する縁枠部材と、夫々のレンズの上縁部分の外周面に取り付くコードの両端に掛着片を固定してなる左右のコード部材とを具え、該コード部材のコードが前記上縁部分の外周面に取り付けられた状態で、レンズの下縁部分に取り付けられた前記縁枠の内側の端部と外側の端部に前記両端の掛着片が有する引掛け部が掛着されることにより、前記レンズが前記縁枠に固定されている縁無眼鏡であって、
真っ直ぐなパイプ部材内に前記コードの端部分が挿入された状態で該パイプ部材が所要に屈曲せしめられることにより、前記引掛け部を具えた前記掛着片が形成されており、該パイプ部材の屈曲により前記コードの端部分が前記掛着片に固定されていることを特徴とする縁無眼鏡。
【請求項３】
左右一対のレンズと、夫々のレンズの上縁部分の外周面に取り付く縁枠を左右に有する縁枠部材と、夫々のレンズの下縁部分の外周面に取り付くコードの両端に掛着片を固定してなる左右のコード部材とを具え、各コード部材のコードが前記下縁部分の外周面に取り付けられた状態で、レンズの上縁部分に取り付けられた前記縁枠の内側の端部と外側の端部に前記両端の掛着片が有する引掛け部が掛着されることにより、前記レンズが前記縁枠に固定されている縁無眼鏡であって、
真っ直ぐなパイプ部材内に前記コードの端部分が挿入された状態で該パイプ部材が所要に屈曲せしめられることにより、前記引掛け部を具えた前記掛着片が形成されており、又該パイプ部材の一部分が押し潰されてそれがコード周面に圧接せしめられることにより、前記コードの端部分が前記掛着片に固定されていることを特徴とする縁無眼鏡。
【請求項４】
左右一対のレンズと、夫々のレンズの下縁部分の外周面に取り付く縁枠を左右に有する縁枠部材と、夫々のレンズの上縁部分の外周面に取り付くコードの両端に掛着片を固定してなる左右のコード部材とを具え、該コード部材のコードが前記上縁部分の外周面に取り付けられた状態で、レンズの下縁部分に取り付けられた前記縁枠の内側の端部と外側の端部に前記両端の掛着片が有する引掛け部が掛着されることにより、前記レンズが前記縁枠に固定されている縁無眼鏡であって、
真っ直ぐなパイプ部材内に前記コードの端部分が挿入された状態で該パイプ部材が所要に屈曲せしめられることにより、前記引掛け部を具えた前記掛着片が形成されており、又該パイプ部材の一部分が押し潰されてそれがコード周面に圧接せしめられることにより、前記コードの端部分が前記掛着片に固定されていることを特徴とする縁無眼鏡。
【請求項５】
左右一対のレンズと、夫々のレンズの上縁部分の外周面に取り付く縁枠を左右に有する縁枠部材と、夫々のレンズの下縁部分の外周面に取り付くコードの両端に掛着片を固定してなる左右のコード部材とを具え、各コード部材のコードが前記下縁部分の外周面に取り付けられた状態で、レンズの上縁部分に取り付けられた前記縁枠の内側の端部と外側の端部に前記両端の掛着片が有する引掛け部が掛着されることにより、前記レンズが前記縁枠に固定されている縁無眼鏡であって、
前記コードの内側の端部に固定される前記掛着片は、屈曲したパイプとして形成され、前記引掛け部と該引掛け部に延長される取付筒部とを具えるものとなされており、又、前記コードの端部分が前記掛着片の屈曲したパイプ内にその基端側から挿入され、該コードの先端が前記引掛け部の先端側に位置するようになされる一方、パッドを取り付けるためのパッド取付け片の上端側をなす連結軸が前記取付筒部内に挿入せしめられ、該連結軸の先端が前記コードの先端に略当接状態となされ、この状態で、連結軸が取付筒部内でロウ付されていることを特徴とする縁無眼鏡。
【請求項６】
左右一対のレンズと、夫々のレンズの下縁部分の外周面に取り付く縁枠を左右に有する縁枠部材と、夫々のレンズの上縁部分の外周面に取り付くコードの両端に掛着片を固定してなる左右のコード部材とを具え、該コード部材のコードが前記上縁部分の外周面に取り付けられた状態で、レンズの下縁部分に取り付けられた前記縁枠の内側の端部と外側の端部に前記両端の掛着片が有する引掛け部が掛着されることにより、前記レンズが前記縁枠に固定されている縁無眼鏡であって、
前記コードの内側の端部に固定される前記掛着片は、屈曲したパイプとして形成され、前記引掛け部と該引掛け部に延長される取付筒部とを具えるものとなされており、又、前記コードの端部分が前記掛着片の屈曲したパイプ内にその基端側から挿入され、該コードの先端が前記引掛け部の先端側に位置するようになされる一方、パッドを取り付けるためのパッド取付け片の上端側をなす連結軸が前記取付筒部内に挿入せしめられ、該連結軸の先端が前記コードの先端に略当接状態となされ、この状態で、連結軸が取付筒部内でロウ付されていることを特徴とする縁無眼鏡。
【発明の詳細な説明】
【０００１】
【発明の属する技術分野】
本発明は、レンズをコードで支持して縁枠部材に取り付けるタイプの縁無眼鏡を、簡易に且つコスト低減を図って組み立て可能とする縁無眼鏡に関するものである。又、該縁無眼鏡を組み立てるための組立てセットに関するものである。
【０００２】
【従来の技術】
例えば図１８〜１９に示すような、レンズａの上縁に沿って配される略倒Ｕ字状をなす左右の縁枠ｂ，ｂの内側部分相互を連結片ｃによって連結すると共に各縁枠ｂ，ｂの両端部分ｄ，ｄに、レンズａの下側の外周面ｅに嵌着したコードｆの両端部分ｇ，ｇを止着し、且つ左右の縁枠ｂ，ｂの外側部分の前面に、テンプルｈを取り付けるための取付片ｊの前端を連結してなる眼鏡ｋは、レンズに取り付く縁枠ｂが上半分だけであるために側方部が見やすく、又眼鏡を軽量に構成できることから人気を博している。
【０００３】
そしてこの種の眼鏡枠ｋにおいて、前記コードｆの端部分ｇを縁枠ｂの端部分ｄに止着するには、図２０に示すように、縁枠ｂの端部分ｄの側面ｍに設けた上下の取付孔ｐ，ｐに前記コードの端部分ｇを屈曲状態に挿通させて行っていた。
【０００４】
【発明が解決しようとする課題】
しかしながら、従来のこの種眼鏡枠ｋにあっては、前記コードｆの端部分ｇを縁枠ｂの端部分ｄに止着する手段が、前記のように、縁枠の端部分の側面に設けた上下の取付孔ｐ，ｐを利用する構成であったため、縁枠の幅寸法は、最低でも、該取付孔ｐを形成できるように一定以上（最低でも1.5 ｍｍ程度の幅は必要である）のものとならざるを得ない。換言すれば、幅寸法が小さいスリムな縁枠にあっては、従来と同様にしては、その側面に取付孔を設けることができない。このようなことから、縁枠の幅をより小さくして縁枠を目立たないように形成し然も眼鏡枠をより軽量に形成せんとしても限界があったのである。
【０００５】
又縁無眼鏡の組み立てに際しては、前記のように、縁枠の端部分ｄの上下に設けた小さな取付孔ｐ，ｐにコードｆの端部分ｇを屈曲状態に挿通しなければならない非常に細かな手作業が必要となり、又、レンズの大きさに合わせてコードの長さを調節する必要もある等、手間と時間を要して組み立て作業能率が悪く、又コスト上昇を招く問題があった。
【０００６】
本発明は、かかる問題点に鑑みて開発されたものであり、縁無眼鏡をスリムに構成できるだけでなく、小売店における最終組み立てを手間と時間をかけずに能率的にしかも確実に行うことができ、又コスト低減を達成し得る縁無し眼鏡の提供を目的とするものである。
【０００７】
【課題を解決するための手段】
前記課題を解決するため、本発明は以下の手段を採用する。
即ち、本発明に係る縁無眼鏡の第１の態様は、左右一対のレンズと、夫々のレンズの上縁部分の外周面に取り付く縁枠を左右に有する縁枠部材と、夫々のレンズの下縁部分の外周面に取り付くコードの両端に掛着片を固定してなる左右のコード部材とを具え、各コード部材のコードが前記下縁部分の外周面に取り付けられた状態で、レンズの上縁部分に取り付けられた前記縁枠の内側の端部と外側の端部に前記両端の掛着片が有する引掛け部が掛着されることにより、前記レンズが前記縁枠に固定されている縁無眼鏡である。そして、真っ直ぐなパイプ部材内に前記コードの端部分が挿入された状態で該パイプ部材が所要に屈曲せしめられることにより、前記引掛け部を具えた前記掛着片が形成されており、該パイプ部材の屈曲により前記コードの端部分が前記掛着片に固定されていることを特徴とするものである。
【０００８】
本発明に係る縁無眼鏡の第２の態様は、左右一対のレンズと、夫々のレンズの下縁部分の外周面に取り付く縁枠を左右に有する縁枠部材と、夫々のレンズの上縁部分の外周面に取り付くコードの両端に掛着片を固定してなる左右のコード部材とを具え、該コード部材のコードが前記上縁部分の外周面に取り付けられた状態で、レンズの下縁部分に取り付けられた前記縁枠の内側の端部と外側の端部に前記両端の掛着片が有する引掛け部が掛着されることにより、前記レンズが前記縁枠に固定されている縁無眼鏡である。そして、真っ直ぐなパイプ部材内に前記コードの端部分が挿入された状態で該パイプ部材が所要に屈曲せしめられることにより、前記引掛け部を具えた前記掛着片が形成されており、該パイプ部材の屈曲により前記コードの端部分が前記掛着片に固定されていることを特徴とするものである。
【０００９】
本発明に係る縁無眼鏡の第３の態様は、左右一対のレンズと、夫々のレンズの上縁部分の外周面に取り付く縁枠を左右に有する縁枠部材と、夫々のレンズの下縁部分の外周面に取り付くコードの両端に掛着片を固定してなる左右のコード部材とを具え、各コード部材のコードが前記下縁部分の外周面に取り付けられた状態で、レンズの上縁部分に取り付けられた前記縁枠の内側の端部と外側の端部に前記両端の掛着片が有する引掛け部が掛着されることにより、前記レンズが前記縁枠に固定されている縁無眼鏡である。そして、真っ直ぐなパイプ部材内に前記コードの端部分が挿入された状態で該パイプ部材が所要に屈曲せしめられることにより、前記引掛け部を具えた前記掛着片が形成されており、又該パイプ部材の一部分が押し潰されてそれがコード周面に圧接せしめられることにより、前記コードの端部分が前記掛着片に固定されていることを特徴とするものである。
【００１０】
本発明に係る縁無眼鏡の第４の態様は、左右一対のレンズと、夫々のレンズの下縁部分の外周面に取り付く縁枠を左右に有する縁枠部材と、夫々のレンズの上縁部分の外周面に取り付くコードの両端に掛着片を固定してなる左右のコード部材とを具え、該コード部材のコードが前記上縁部分の外周面に取り付けられた状態で、レンズの下縁部分に取り付けられた前記縁枠の内側の端部と外側の端部に前記両端の掛着片が有する引掛け部が掛着されることにより、前記レンズが前記縁枠に固定されている縁無眼鏡である。そして、真っ直ぐなパイプ部材内に前記コードの端部分が挿入された状態で該パイプ部材が所要に屈曲せしめられることにより、前記引掛け部を具えた前記掛着片が形成されており、又該パイプ部材の一部分が押し潰されてそれがコード周面に圧接せしめられることにより、前記コードの端部分が前記掛着片に固定されていることを特徴とするものである。
【００１１】
本発明に係る縁無眼鏡の第５の態様は、左右一対のレンズと、夫々のレンズの上縁部分の外周面に取り付く縁枠を左右に有する縁枠部材と、夫々のレンズの下縁部分の外周面に取り付くコードの両端に掛着片を固定してなる左右のコード部材とを具え、各コード部材のコードが前記下縁部分の外周面に取り付けられた状態で、レンズの上縁部分に取り付けられた前記縁枠の内側の端部と外側の端部に前記両端の掛着片が有する引掛け部が掛着されることにより、前記レンズが前記縁枠に固定されている縁無眼鏡である。そして、前記コードの内側の端部に固定される前記掛着片は、屈曲したパイプとして形成され、前記引掛け部と該引掛け部に延長される取付筒部とを具えるものとなされており、又、前記コードの端部分が前記掛着片の屈曲したパイプ内にその基端側から挿入され、該コードの先端が前記引掛け部の先端側に位置するようになされる一方、パッドを取り付けるためのパッド取付け片の上端側をなす連結軸が前記取付筒部内に挿入せしめられ、該連結軸の先端が前記コードの先端に略当接状態となされ、この状態で、連結軸が取付筒部内でロウ付されていることを特徴とする縁無眼鏡。
【００１２】
本発明に係る縁無眼鏡の第６の態様は、左右一対のレンズと、夫々のレンズの下縁部分の外周面に取り付く縁枠を左右に有する縁枠部材と、夫々のレンズの上縁部分の外周面に取り付くコードの両端に掛着片を固定してなる左右のコード部材とを具え、該コード部材のコードが前記上縁部分の外周面に取り付けられた状態で、レンズの下縁部分に取り付けられた前記縁枠の内側の端部と外側の端部に前記両端の掛着片が有する引掛け部が掛着されることにより、前記レンズが前記縁枠に固定されている縁無眼鏡である。そして、前記コードの内側の端部に固定される前記掛着片は、屈曲したパイプとして形成され、前記引掛け部と該引掛け部に延長される取付筒部とを具えるものとなされており、又、前記コードの端部分が前記掛着片の屈曲したパイプ内にその基端側から挿入され、該コードの先端が前記引掛け部の先端側に位置するようになされる一方、パッドを取り付けるためのパッド取付け片の上端側をなす連結軸が前記取付筒部内に挿入せしめられ、該連結軸の先端が前記コードの先端に略当接状態となされ、この状態で、連結軸が取付筒部内でロウ付されていることを特徴とする縁無眼鏡。
【００１３】
【発明の実施の形態】
以下、本発明の実施の形態を図面に基づいて説明する。
図１〜３おいて本発明に係る縁無眼鏡１は、左右一対のレンズ２，２と、夫々のレンズの上縁部分の外周面に取り付く縁枠３，３を左右に有する縁枠部材５と、夫々のレンズ２，２の下縁部材の外周面７に取り付けられる例えばナイロン糸からなるコード９の両端に掛着片１０，１１を固定してなる左右のコード部材１２，１２とを具えるものであり、前記レンズ２は、図４に示すように、その外周面７の全周に亘って嵌合溝１３が周設されている。
【００１４】
又前記縁枠部材５は、図３に示すように、本実施の形態においてはステンレス線材等の線材を所要に屈曲して一連に形成されており、前記左右の縁枠３，３の内端相互がブリッジ１５で連結されると共に、縁枠３，３の外端には、側方に突出し且つ先端で後方に屈曲するテンプル連結部１６，１６が一連に連設されている。
【００１５】
又本実施の形態においては、前記縁枠３の内側の端部１７と外側の端部１９に、下方に凹む凹部２０，２１、２０，２１が形成されている。かかる構成を有する縁枠部材５の左右の縁枠３，３の内縁部分２２，２２は、図４に示すように、前記左右のレンズ２，２の外周面に周設した嵌合溝１３，１３の上側部分２３，２３に嵌合せしめられる。又前記左右のテンプル連結部１６，１６の後端２５，２５には、左右のテンプル２６，２６が開閉可能に連結されている。
【００１６】
又前記コード部材１２，１２は、共に同様の構成を有しており、前記レンズ２の外周面に周設した嵌合溝１３の下側部分２７に図４に示すように嵌め込まれる前記コード９の両端に前記掛着片１０，１１を固定した構成を有している。
【００１７】
外側の掛着片１１は、図５に拡大して示すように、前記縁枠３の外側の端部に設けた前記凹部２１（図３）に掛着される引掛け部２９を具えている。該掛着片１１は、本実施の形態においては、図６に示すような真っ直ぐなパイプ部材（例えば洋白からなる）３１を用いて形成されており、前記コード９の外側の端部分３０が前記パイプ部材３１内に挿入された状態で、該パイプ部材３１の上側部分３２が、図７に示すように、下端開放のフック状に屈曲せしめられて、前記引掛け部２９が形成されている。このパイプ部材３１の屈曲と、該パイプ部材３１の一部分３３が押し潰されてそれがコード周面３５に圧接せしめられることにより、掛着片１１がコード９の端部分に固定状態となっている。なお図７において一点鎖線で示すコード端部９ａは、前記上側部分３２（図６）が屈曲せしめられた後に切除される部分を示す。
【００１８】
又前記内側の掛着片１０は、図８に拡大して示すように、前記縁枠３の内側の端部に設けた前記凹部２０（図３）に掛着される引掛け部３６を具えている。該掛着片１０は、本実施の形態においては、図９に示すような真っ直ぐなパイプ部材（例えば洋白からなる）３７を用いて形成されており、コード９の内側の端部分３８が該パイプ部材３７の一端側の半分３７ａに挿入されると共に、図８に示すパッド取付け部３９を構成するパッド取付片４０の連結軸４１が、図９に示すように前記パイプ部材３７の他端側の半分（取付筒部）３７ｂ内に挿入された状態で、パイプ部材３７の中間部分が、図１０に示すように下端開放のＣ字状に屈曲せしめられ（フック状に形成され）、前記引掛け部３６とされている。又該引掛け部３６の下端で、前記連結軸４１の挿入部分４２が斜め下方に屈曲されており、該屈曲によって、連結軸４１がパイプ部材３７と一体化されている。この場合も、パイプ部材３７の屈曲と、該パイプ部材３７の一部分４３が押し潰されてそれがコード周面４４に圧接せしめられることにより、掛着片１０がコード９の端部分に固定状態となっている。
【００１９】
前記パッド取付片４０は、図１、図８、図１０に示すように、例えば円板状を呈するパッド４５の背面に突設された連結突部４６を保持するＵ字状保持部４７を具え、その上端に、前記連結軸４１が上方向に向けて延長されている。
【００２０】
なお本実施の形態においては、パイプ部材３７と連結軸４１との一体化を一層強固に行うために、該連結軸４１を、取付筒部３７ｂ内でロウ付している。このロウ付が掛着片１０の強度低下を招かないようにするために、図９に示すように、連結軸４１の先端４９を前記コード９の先端５０に略当接状態とし、この状態で、連結軸４１を前記取付筒部３７ｂ内でロウ付している。もしも図１１、図１２に示すように、コード９の先端５０と連結軸４１の先端４９との間に空間部分５１が形成されたとすると、該連結軸４１を取付筒部３７ｂ内でロウ付けする際に、溶融したロウ材の一部が前記空間部分５１に流入することによって、該空間部分におけるパイプ強度が弱くなり、将来的に該部分で亀裂が発生する恐れがあるのであるが、前記のように、コードの先端５０と連結軸の先端４９とを略当接状態とするときは、このようなロウ材の流入によるパイプ強度の劣化を防止できることになるのである。
【００２１】
然して、かかる構成を有する左右のレンズ２，２と縁枠部材５と左右のコード部材１２，１２とからなる組立てセットを用いて縁無眼鏡１を組み立てるには、図１３に示すように、前記左右の縁枠３，３に前記左右のコード部材１２，１２を取り付ける。この取り付けは、コード部材１２の内外端の掛着片１０，１１の引掛け部３６，２９を、図１、図１４〜１５に示すように、その屈曲端５２，５３をレンズ裏側に向けて、前記縁枠の内側の端部分１７と外側の端部分１９に掛着させる。この掛着は、縁枠の内外端に設けられた前記凹部２０，２１にフック状の引掛け部３６，２９が嵌まり合った掛着状態であり、内外の引掛け部３６，２９の位置が安定的に定まっている。その後図１〜２に示すように、前記縁枠３とコード９との間にレンズ２を嵌め入れるのであるが、この嵌め入れは、前記コード９を弾性的に伸長させながら行われ、図４に示すように、縁枠３の内縁部分２２を前記嵌合溝１３の上側部分２３に嵌合させると共に、前記コード９を前記嵌合溝１３の下側部分２７に嵌め込んで行われる。
【００２２】
なお前記コード９の長さは、このようにしてレンズ２を嵌着した状態で、コード９が弾性的に収縮状態となるように設定されており、該コードの弾性収縮によって、レンズ２を縁枠３に安定的に止着できる。そしてこのレンズ嵌着状態で、内側の両掛着片１０，１０にパッド４５，４５が所要に取付けられた図１に示す縁無眼鏡１が構成されることになる。
【００２３】
図１６は、本発明に係る縁無眼鏡１の他の態様を示すものであり、前記実施の形態における場合と相違するのは、縁枠部材５の左右の縁枠３，３を左右のレンズ２，２の下縁部分の外周面に取り付ける構成とし、又左右のコード部材１２，１２のコード９，９を左右のレンズ２，２の上縁部分の外周面に取り付ける構成とした点である。
【００２４】
前記左右のレンズ２，２は、前記と同様の構成を有しており、又前記縁枠部材５も、前記と同様、ステンレス線材等の線材を所要に屈曲することにより形成されており、前記レンズ２の下縁部分の外周面に取り付く縁枠３の内側の端部と外側の端部には、上方に凹む凹部２０，２１が形成されている。又コード部材１２も、前記と同様、コード９の両端に掛着片１０，１１を固定して構成されており、該掛着片１０，１１は、前記と同様、屈曲したパイプ状に形成されてフック状の引掛け部２９，３６が設けられている。図１７は、内側の掛着片１０を示す断面であり、パッド取付部３９を構成するパッド取付片４０の連結軸４１が、パイプ部材５２内の取付筒部５２ａに挿入されている。そして図１６に示すように、前記コード部材１２の両端に固定された掛着片１０，１１の前記引掛け部３６，２９が、前記凹部２０，２１に掛着され、その後、前記縁枠３とコード９との間にレンズ２を嵌着することによって縁無眼鏡１が構成されている。
【００２５】
〔その他の実施の形態〕
(1) 前記掛着片１０，１１を前記コード９に固定する手段は、前記のようなパイプ部材を用いて構成するものには限られず、掛着片に設けた取付孔で固定する等の各種の公知手段を用いて行うこともできる。
【００２６】
(2) 左右の縁枠３，３を有する縁枠部材５は、前記実施の形態においては線材を所要に屈曲して形成しているが、眼鏡のデザイン如何によっては、左右の縁枠の内端相互をロウ付手段によりブリッジで連結し、又、縁枠の外端にテンプル連結片をロウ付すること等によって構成されることもある。
【００２７】
(3) 掛着片を、屈曲したパイプ状に形成する場合において、該掛着片がパッド取付け部を設けられるときは、該パイプ部分の屈曲によってパッド取付け部が一連状態で設けられることもある。
【００２８】
(4) コード部材を構成するコードの長さは、該コードと縁枠との間にレンズを固定状態で嵌め入れることができるように所要に設定されるものであるが、該コードを、レンズの下縁部分の外周面又は上縁部分の外周面に取り付けた状態で、両端の引掛け部を縁枠の両端部に掛着させることができる限り、レンズの外形は各種に設定され得る。
【００２９】
【発明の効果】
本発明に係る縁無眼鏡及び縁無眼鏡の組立てセットは、以下の如き優れた効果を奏する。
(1) 本発明に係る縁無眼鏡は、左右のレンズを左右の縁枠に取り付けるに際し、該コード部材の両端の掛着片の引掛け部を、前記縁枠の内側の端部と外側の端部に夫々掛着させる構成を採用している。
従って本発明によるときは、縁枠の両端にコードの取付孔を形成できない幅狭の縁枠を対象とする場合であっても、コードの両端を該縁枠に確実に止着でき、これにより縁無眼鏡をスリムに構成できることになる。
【００３０】
(2) 又縁枠に対するコードの取り付けは、所定長さのコードの両端に固定した掛着片の引掛け部を縁枠の内側の端部と外側の端部に単に引っ掛けるだけで、極めて簡易に行うことができる。従って眼鏡の組立て段階では、従来の同種の縁無眼鏡におけるような、縁枠の両端部分に設けた上下の取付孔にコードの端部分を屈曲状態に挿通させたり、又コードの長さ調節を行わなければならないといった時間のかかる面倒な作業は一切必要とせず、小売店における縁無眼鏡の組立て作業を短時間で能率よく行うことが可能となり、コスト低減を図り得る。
かかることから本発明によるときは、従来における眼鏡組立て時の問題点を解決でき、縁無眼鏡の一層の普及を図ることができる。特に、縁枠が目立たず且つ軽量なスリムタイプの縁無眼鏡を提供できるようになったことは、本発明の大きな利点と言える。
【００３１】
(3) レンズの上縁部分又は下縁部分に取り付く縁枠の内側の端部と外側の端部に凹部を形成し、コード部材の両端の掛着片の引掛け部を該凹部に掛着させるように構成したときは、引掛け部を該凹部で位置固定できることとなり、掛着状態の安定性に優れた縁無眼鏡を構成できることになる。
【００３２】
(4) コード部材を構成する掛着片を、屈曲したパイプとして形成すると共に、前記コードの端部分を屈曲したパイプ内に挿入させる構成とするときは、コードの端部に対する掛着片の固定を容易且つ確実に行うことができる。この場合更に、前記パイプの一部分を押し潰してこれをコード周面に圧接状態とするときは、前記固定強度を一層向上させることができる。
【００３３】
(5) 真っ直ぐなパイプ部材内にコードの端部分を挿入した後、該パイプ部材を所要に屈曲することによって、前記引掛け部を具えた掛着片を形成する構成としたときは、コードの端部に対する掛着片の固定を、より一層容易且つ確実に行うことができる。
【００３４】
(6) コードの内側の端部に取り付けられる掛着片を、パッドを取り付けるためのパッド取付け部が設けられたものとして構成するときは、コード両端の掛着片の引掛け部を縁枠の両端部に掛着すると共に、縁枠とコードとの間にレンズを嵌め入れることにより、パッドが所要に取り付けられた縁無眼鏡を簡易に構成できることになる。
【００３５】
(7) コードの内側の端部に取り付けられる前記掛着片を、屈曲したパイプ状に形成し、該掛着片が、引掛け部と該引掛け部に延長する取付筒部とを具える如く構成し、パッドを取付けるためのパッド取付け部の上端側をなす連結軸を前記取付筒部内に挿入させ、該挿入状態で、前記連結軸を取付筒部にロウ付等の手段で固定する構成を採用したときは、パッド取付け部を極力細く形成でき、眼鏡を見栄え良く構成できることとなる。
【００３６】
(8) コードの内側の端部に取り付けられる前記掛着片を、屈曲したパイプ状に形成し、該掛着片が、引掛け部と該引掛け部に延長する取付筒部とを具える如くなし、コードの端部分を、前記屈曲したパイプ内にその基端側から挿入し、コード端が前記引掛け部の先端側に位置するように形成する一方、パッドを取付けるためのパッド取付け片の上端側をなす連結軸を前記取付筒部内に挿入せしめ、該連結軸の先端を前記コードの先端に略当接状態となし、この状態で、連結軸を取付筒部内でロウ付する構成を採用したときは、パイプ状をなす掛着片の強度をロウ付の影響によって低下させることなく、連結軸を確実にロウ付できる利点がある。
【００３７】
(9) コードの両端に固定された掛着片の引掛け部をフック状に屈曲形成する場合、その屈曲端をレンズ裏側に向けた状態で、該引掛け部を縁枠の内側の端部と外側の端部に掛着させる構成を採用したときは、屈曲端が眼鏡の正面側に現れないために縁無眼鏡の見栄えを向上させ得る。
【図面の簡単な説明】
【図１】  本発明に係る縁無眼鏡を示す斜視図である。
【図２】  その部分正面図である。
【図３】  その分解斜視図である。
【図４】  レンズの外周面に周設した嵌合溝に縁枠とコードが嵌まり合った状態を示す断面図である。
【図５】  コード部材の外側の掛着片を示す斜視図である。
【図６】  外側の掛着片を形成するパイプ部材内にコードの端部分を挿入した状態を示す断面図である。
【図７】  そのパイプ部材を屈曲して外側の掛着片を形成した状態を示す断面図である。
【図８】  コード部材の内側の掛着片を、パッド取付部と共に示す斜視図である。
【図９】  内側の掛着片を形成するパイプ部材内に、コードの端部分とパッド取付片の連結軸を挿入した状態を示す断面図である。
【図１０】  そのパイプ部材を屈曲して掛着片を形成した状態を示す断面図である。
【図１１】  パッド取付片の連結軸をパイプ部材にロウ付する場合の他の態様を示す断面図である。
【図１２】  パッド取付片の連結軸をパイプ部材にロウ付する場合の他の態様を示す断面図である。
【図１３】  左右の縁枠に左右のコード部材を取り付けた状態を示す正面図である。
【図１４】  内側の掛着片を縁枠の内側の端部に掛着させた状態を示す断面図である。
【図１５】  外側の掛着片を、縁枠の外側の端部に掛着させた状態を示す断面図である。
【図１６】  本発明に係る縁無眼鏡の他の態様を示す部分正面図である。
【図１７】  それに用いる内側の掛着片を示す断面図である。
【図１８】  従来の縁無眼鏡を示す正面図である。
【図１９】  その部分斜視図である。
【図２０】  コードの端部分を縁枠の端部分に止着する場合の従来の問題点を説明する断面図である。
【符号の説明】
１  縁無眼鏡
２  レンズ
３  縁枠
５  縁枠部材
７  外周面
９  コード
１０  内側の掛着片
１１  外側の掛着片
１２  コード部材
１３  嵌合溝
２０  凹部
２１  凹部
２９  引掛け部
３１  パイプ部材
３３  パイプ部材の一部分
３５  コード周面
３６  引掛け部
３７  パイプ部材
４５  パッド
４９  連結軸の先端
５０  コードの先端
【図１】
0003692283.tif 000002
【図２】
0003692283.tif 000003
【図３】
0003692283.tif 000004
【図４】
0003692283.tif 000005
【図５】
0003692283.tif 000006
【図６】
0003692283.tif 000007
【図７】
0003692283.tif 000008
【図８】
0003692283.tif 000009
【図９】
0003692283.tif 000010
【図１０】
0003692283.tif 000011
【図１１】
0003692283.tif 000012
【図１２】
0003692283.tif 000013
【図１３】
0003692283.tif 000014
【図１４】
0003692283.tif 000015
【図１５】
0003692283.tif 000016
【図１６】
0003692283.tif 000017
【図１７】
0003692283.tif 000018
【図１８】
0003692283.tif 000019
【図１９】
0003692283.tif 000020
【図２０】
0003692283.tif 000021